(57)【要約】【課題】支柱の設置角度を調整しやすく、かつ、各部材のがたつきが生じにくい支柱固定装置及びこれを用いたフェンスを提供する。【解決手段】一対の起立壁２２を有し設置面Ｓに配置されるベース部２１と、起立壁２２の間に配置されて支柱１０の下端部１１が固定される前壁部２３及び後壁部２４と、前壁部２３及び後壁部２４に設けられた円盤部２６と、一方の起立壁２２から円盤部２６、前壁部２３、支柱１０の下端部１１を経て反対側に貫通するボルト５１と、ボルト５１に螺着されるナット５２とを備え、起立壁２２、前壁部２３、後壁部２４及び円盤部２６は、ボルト５１が貫通する貫通孔を備え、起立壁２２の貫通孔２２ａは、その下縁部２２ｂが前壁部２３及び後壁部２４の貫通孔２３，２４の下縁部２３ｄ，２４ｄよりも下方に位置しており、その上縁部２２ｃが貫通孔２３，２４の上縁部の高さよりも下方に位置するように支柱固定装置２０を構成する。【選択図】  図１
2019183383.tif 000002
【特許請求の範囲】
【請求項１】
設置面に対して、所定の方向に支柱を設置するための支柱固定装置であって、
起立する前後一対の起立壁を有し前記設置面に配置されるベース部と、
前記起立壁の間に配置されて支柱の下端部が固定される一対の前壁部及び後壁部と、
前記前壁部及び後壁部にそれぞれ設けられた円盤部と、
一方の起立壁から円盤部、前壁部、支柱の下端部、後壁部、円盤部を経て他方の起立壁に貫通するボルトと、前記ボルトに螺着されるナットとを備え、
前記起立壁、前壁部、後壁部及び円盤部は、前記ボルトが貫通する貫通孔をそれぞれ備えており、前記前後の起立壁の貫通孔は、その下縁部が前壁部及び後壁部の貫通孔の下縁部よりも下方に位置しており、その上縁部が前壁部及び後壁部の貫通孔の上縁部と同じ高さか、その高さよりも下方に位置していることを特徴とする支柱固定装置。
【請求項２】
前記固定壁の貫通孔は、支柱の下端部側に向けて徐々に拡径されたテーパー部を有し、前記前壁部及び後壁部の貫通孔は、支柱の下端部側に向けて徐々に拡径されたテーパー部を有していることを特徴とする請求項１に記載の支柱固定装置。
【請求項３】
請求項１又は２に記載の支柱固定装置を介して傾斜した設置面に設置された支柱と、前記支柱とは異なる位置に設置された支柱との間にパネル体が取付けられていることを特徴とするフェンス。
【発明の詳細な説明】
【技術分野】
【０００１】
本発明は、住宅、工場、公園等の敷地境界部や立体駐車場等の既設の設備に取付けられるフェンス等に関し、特にこれらに用いられる支柱を固定するための支柱固定装置及びこれを用いたフェンスに関するものである。
【背景技術】
【０００２】
住宅、工場、公園等の敷地境界部や隣地境界部に沿って取付けられるフェンスにおいて、その支柱を設置する場合は、コンクリート基礎を用いて埋設する方法や、打ち込み装置等を用いて支柱を土面に直接打設する方法や、コンクリート面等の上に支柱ホルダーを設置し、その上に支柱を立設させる方法等が用いられている。
【０００３】
一方、立体駐車場や、既設のフェンスや柵等を取り除き、コンクリートやブロックの土台に再びフェンスを設置する場合は、土台の孔部を利用したり、支柱を固定するための部材を土台に固定したりして、支柱を固定する場合がある。
【０００４】
例えば、先行文献１には、基板上起立対向一対の対向側壁と該一対の対向側壁間側部開口を八字状に閉塞する一対のカバー壁とによって区画形成した上方口狭にして下方拡開の支柱挿入空間を具備した支柱ホルダーと、該支柱ホルダーの上記一対の対向側壁及び支柱挿入空間内支柱下端間に配設した支柱傾斜角度調整自在の支柱固定手段とを備えた支柱立設装置が開示されている。
【０００５】
また、先行文献２には、先端部で手摺りを支持する支柱が基礎物品を介して手摺り設置物に固定されているとともに、基礎物品は、手摺り設置物に取付けられた第１基礎部材と、前記支柱の基端部が結合された第２基礎部材とを有し、この第２基礎部材は第１基礎部材に対して回動自在でかつ第１基礎部材に任意な回動位置で締結自在な手摺りの支柱構造が開示されている。
【先行技術文献】
【特許文献】
【０００６】
【特許文献１】特開平６−２００６６２号公報
【特許文献２】特開平１０−２９９２１２号公報
【発明の概要】
【発明が解決しようとする課題】
【０００７】
しかしながら、前記支柱立設装置は、カバー壁によって支柱の傾斜角度が制限されてしまい汎用性の点で劣るものであった。また、前記手摺りの支柱構造は、第１基礎部材と第２基礎部材との締結手段が、支柱の長手方向と同方向に締結するため、締結時に他の部材との干渉が生じやすいものであった。
【０００８】
本発明は、前記の如き問題点を解消し、支柱の設置角度を調整しやすく、かつ、各部材のがたつきが生じにくい支柱固定装置及びこれを用いたフェンスを提供せんとするものである。
【課題を解決するための手段】
【０００９】
上記目的を達成するために、本発明は次のような構成としている。
すなわちこの発明に係る支柱固定装置は、設置面に対して、所定の方向に支柱を設置するための支柱固定装置であって、起立する前後一対の起立壁を有し前記設置面に配置されるベース部と、前記起立壁の間に配置されて支柱の下端部が固定される一対の前壁部及び後壁部と、前記前壁部及び後壁部にそれぞれ設けられた円盤部と、一方の起立壁から円盤部、前壁部、支柱の下端部、後壁部、円盤部を経て他方の起立壁に貫通するボルトと、前記ボルトに螺着されるナットとを備え、前記起立壁、前壁部、後壁部及び円盤部は、前記ボルトが貫通する貫通孔をそれぞれ備えており、前記前後の起立壁の貫通孔は、その下縁部が前壁部及び後壁部の貫通孔の下縁部よりも下方に位置しており、その上縁部が前壁部及び後壁部の貫通孔の上縁部と同じ高さか、その高さよりも下方に位置していることを特徴とするものである。
【００１０】
本発明に係る支柱固定装置において、前記固定壁の貫通孔は、支柱の下端部側に向けて徐々に拡径されたテーパー部を有し、前記前壁部及び後壁部の貫通孔は、支柱の下端部側に向けて徐々に拡径されたテーパー部を有するものとしてもよい。
【００１１】
また本発明に係るフェンスは、前記支柱固定装置を介して傾斜した設置面に設置された支柱と、前記支柱とは異なる位置に設置された支柱との間にパネル体が取付けられていることを特徴とするものである。
【発明の効果】
【００１２】
本発明に係る支柱固定装置によれば、一方の起立壁から円盤部、前壁部、支柱の下端部、後壁部、円盤部を経て他方の起立壁に貫通するボルトと、前記ボルトに螺着されるナットとを備え、前記起立壁、円盤部及び固定壁は、前記ボルトが貫通する貫通孔をそれぞれ備えており、前記前後の起立壁の貫通孔は、その下縁部が前壁部及び後壁部の貫通孔の下縁部よりも下方に位置しており、その上縁部が前壁部及び後壁部の貫通孔の上縁部と同じ高さか、その高さよりも下方に位置しているので、起立壁の間に支柱固定部材を任意の角度でしっかり締結し、かつ、支柱固定部材の上方向の移動を抑えて、支柱固定部材の上下方向のがたつきを抑えることができる。
【００１３】
前記固定壁の貫通孔は、支柱の下端部側に向けて徐々に拡径されたテーパー部を有し、前記前壁部及び後壁部の貫通孔は、支柱の下端部側に向けて徐々に拡径されたテーパー部を有するものとすれば、ボルトを貫通させやすくなる。
【００１４】
本発明に係るフェンスによれば、前記支柱固定装置を介して傾斜した設置面に設置された支柱と、前記支柱とは異なる位置に設置された支柱との間にパネル体が取付けられているので、比較的急勾配な設置面、又は勾配が変化する箇所においても、支柱を任意の角度で固定することができるので、フェンスの施工が容易となる。
【図面の簡単な説明】
【００１５】
【図１】本発明に係る支柱固定装置を用いたフェンスの実施の一形態を示す正面図である。
【図２】本発明に係る支柱固定装置を用いたフェンスの実施の他の形態を示す正面図。
【図３】図１のＡ−Ａ線の拡大断面図である。
【図４】図１の支柱固定装置付近の説明図である。
【図５】図１の支柱固定装置の設置方法の一例を示す説明図である。
【図６】図１の支柱固定装置の設置方法の一例を示す説明図である。
【図７】図１の支柱固定装置の設置方法の一例を示す説明図である。
【図８】図１の支柱固定装置の設置方法の一例を示す説明図である。
【図９】図１の支柱固定装置の設置方法の一例を示す説明図である。
【図１０】図１のフェンスのパネル体の設置方法の一例を示す説明図である。
【図１１】図４のＢ−Ｂ線の拡大断面図である。
【図１２】図４のＢ−Ｂ線における一部省略端面図である。
【図１３】図１２のＣ矢視図において各貫通孔の位置関係を示す説明図である。
【発明を実施するための形態】
【００１６】
次に、本発明を実施するための最良の形態について図面を参照し、具体的に説明する。図１は本発明に係る支柱固定装置２０を用いたフェンスＦの実施の一形態を示す正面図、図２は本発明に係る支柱固定装置２０を用いたフェンスＦの別の実施の一形態を示す正面図である。図１，図２において、１０は支柱、２０は傾斜した設置面Ｓに支柱１０を所定の方向に配置するための支柱固定装置、３０は支柱１０間に取付けられたパネル体であって，フェンスＦを構成している。なお、図１は平坦な設置面Ｓに支柱固定装置２０を設置し支柱１０をほぼ垂直に固定したものであり、図２は傾斜した設置面Ｓに支柱固定装置２０を設置し支柱１０をほぼ垂直に固定したものである。つまり、支柱固定装置２０は、設置面Ｓの傾斜の程度によらず、支柱１０を所定の方向に固定できるものである。なお、特に説明しない場合は、図１，図２において、手前側を前、奥側を後、フェンスＦの設置方向である長手方向を左右方向としている。
【００１７】
支柱１０は、一般には強度的に安定しておりコストの安い角筒状の鋼管が用いられているが、丸筒状の鋼管でもよく、断面Ｈ字状やＴ字状の鋼材等からなる支柱でもよい。又ステンレス合金やアルミニウム合金等の他の金属から形成されたものでもよい。支柱１０は、角筒状の上端部を塞ぐキャップ１０ａを有している。
【００１８】
図３は図１のＡ−Ａ線の断面図、図４は図１の支柱固定装置２０付近の説明図である。支柱固定装置２０は、設置面Ｓの異なる位置に所定の方向に向けて支柱１０を配置するためのものであって、設置面Ｓ上に配置されるベース部２１と、ベース部２１から起立する一対の起立壁２２，２２と、起立壁２２の間に配置されて支柱１０の下端部１１が固定される前壁部２３及び後壁部２４とを備えている。
【００１９】
ベース部２１は、本形態では、平面視矩形状で所定の厚さを有するものであって、四隅に上下方向に貫通した長孔状のアンカー孔２１ａを有しており、アンカー孔２１ａに挿入されたアンカーボルト４０を介して設置面Ｓに固定されている。
【００２０】
起立壁２２は、ベース部２１の上面において前後方向の異なる位置に起立している。本形態では縦板状であって、ベース部２１に形成された同型状の孔部に挿入されて、孔部の上縁部付近において溶接により固定されている。なお、起立壁２２の固定方法は、例えば、起立壁２２の下端部をベース部２１の上面に溶接により固定するものでもよく、一枚の長板の両端を折り曲げて、両端部に二個の起立壁２２を形成し、これをベース部２１に固定するものでもよい。
【００２１】
前壁部２３及び後壁部２４は、支柱１０の下端部１１を起立壁２２の間に固定するためのものであって、左右両側に一対の側壁２５，２５を有し、平面視コ字状に形成されている。そして、側壁２５を内側にして配置し、その内側空間Ｋ内に支柱１０の下端部１１が配置される。
【００２２】
また、前壁部２３及び後壁部２４は、外周部に取付けられた円盤部２６をそれぞれ有している。円盤部２６は、前壁部２３及び後壁部２４を起立壁２２，２２の間に配置した際に、起立壁２２と対向する位置に取付けられている。すなわち、起立壁２２、円盤部２６、前壁部２３又は後壁部２４の順に配置される。円盤部２６は、本形態では、前後方向に厚みを有する縦断面円形状の円盤状であって、前壁部２３及び後壁部２４の外周面から前後に突出し、かつ、一部が前壁部２３及び後壁部２４の下面より下方に突出しており、更に、前壁部２３及び後壁部２４に形成された貫通孔２３ａ，２４ａを経て前後方向に貫通する貫通孔２６ａを有している。なお、円盤部２６は、本形態では、溶接等の接合手段によって前壁部２３及び後壁部２４に接合したものであるが、鋳造等によって前壁部２３及び後壁部２４と円盤部２６とを一体に形成してもよい。
【００２３】
次に、支柱１０を支柱固定装置２０に設置する際の設置方法の一例を図５〜図９を用いて詳しく説明する。まず、図５に示すように、設置面Ｓの所定の位置に雌めじ付きスリーブ４１を埋設する。続いて、図６に示すように、スリーブ４１の位置にアンカー孔２１ａの位置が合うようにベース部２１を配置して、ワッシャ４２、スプリングワッシャ４３を介して、アンカーボルト４０をアンカー孔２１ａからスリーブ４１に向けて螺入する。アンカーボルト４０をスリーブ４１に締結することによって設置面Ｓにベース部２１を固定する。
【００２４】
次に、図７に示すように、前壁部２３及び後壁部２４に支柱１０の下端部１１を取付ける。ここで、前壁部２３及び後壁部２４の左右の二個の側壁２５において、一方の側壁２５は、上下方向中間部から前後方向である幅方向に切り欠かれた切欠部２５ａを有し、他方の側壁２５は、上下方向中間部から前後方向に突出する突出部２５ｂを有しており、突出部２５ｂが切欠部２５ａ内に配置されることによって、側壁２５同士が嵌合される。本形態では、前壁部２３及び後壁部２４に貫通孔２３ａ，２４ａと異なる位置に別の貫通孔２３ｂ、２４ｂが形成されている。ボルト５３を一方の貫通孔２３ｂから下端部１１の別の貫通孔１１ｂを貫通し、反対側の貫通孔１１ｂ，２４ｂに貫通してナット５４を螺入する。この段階では、少なくとも支柱１０から前壁部２３及び後壁部２４が落ちない程度に取付けられていればよい。
【００２５】
次に、図８に示すように、ベース部２１に起立する起立壁２２，２２の間に支柱１０が取付けられた前壁部２３及び後壁部２４を配置し、前壁部２３及び後壁部２４の円盤部２６をベース部２１上に載置する。この際、支柱１０の下端部１１はベース部２１との間に隙間を有している。
【００２６】
ここで、図３，図９に示すように、支柱１０の下端部１１は、前後方向に貫通する貫通孔１１ａを有しており、一方の起立壁２２の貫通孔２２ａから、一方の円盤部２６の貫通孔２６ａ、前壁部２３の貫通孔２３ａ及び貫通孔１１ａを経て、反対側の各貫通孔にボルト５１を貫通し、貫通したボルト５１にナット５２を螺入する。
【００２７】
これにより、ボルト５１を軸として、支柱１０は、Ｒ１方向又はＲ２方向に回動可能となるため、ベース部２１が傾斜面に沿って固定されていても、支柱１０を上下方向に配置して固定することができる。実施形態においては、支柱１０は概ね垂直方向に配置しているが、垂直方向に対して角度をなした所定の角度に配置することが可能である。
【００２８】
続いて、ボルト５１にナット５２を螺着することによって、設定した支柱１０の配置方向で、起立壁２２，２２の間で前壁部２３及び後壁部２４及び支柱１０の下端部１１が固定される。更に、ボルト５３にナット５４を螺着することにより、前壁部２３及び後壁部２４に支柱１０の下端部１１を強固に固定することができる。なお、支柱１０の配置方向の調節は、ボルト５１を各部材に貫通し、ナット５２を螺入して仮止めした際でもよく、ボルト５１を貫通する前でもよい。
【００２９】
ここで、起立壁２２と円盤部２６は、それぞれ対向する面が粗面となされている。これにより、支柱１０を所定の角度に配置して固定すれば、粗面同士が接触した状態となるため、滑りにくい状態となり、支柱１０の角度を保持しやすくなる。
【００３０】
次に、支柱固定装置２０を用いて固定した支柱１０の間にパネル体３０を取付けてフェンスＦを構成する取付方法について図１０を用いて説明する。図１０は本発明に係るフェンスＦのパネル体３０の設置方法の一例を示す説明図である。なお、パネル体３０は、本形態では、縦材３１と横材３２とが格子状に配置された格子状のパネルであるが、これに限定されるものではない。
本形態では、前壁部２３及び後壁部２４は、上下方向中央部に左右方向全域にわたって切り欠かれた切欠部２３ｃ、２４ｃを有しており、切欠部２３ｃ、２４ｃは前後方向に通じている。一方、支柱１０の下端部１１は、正面視において、切欠部２３ｃ、２４ｃに通じる貫通孔１１ｃを有している。
【００３１】
続いて、パネル体３０を支柱１０の前面側に配置し、パネル体３０の横材３２を切欠部２３ｃ内に配置する。そして、一方に横材３２を係止可能なＪ字状のフック部６１を有し、他方にねじ部６２を有する棒状の固定具６０を切欠部２３ｃから貫通孔１１ｃを経て、切欠部２４ｃに貫通し、ナット６３を螺入して、横材３２の支柱１０の下端部１１側に引き寄せて固定する。これによって、図４に示すように、パネル体３０の横材３２が支柱１０に固定される。なお、横材３２の固定位置は、支柱固定装置２０の上方でもよいが、本形態のように、前壁部２３及び後壁部２４が切欠部２３ｃ、２４ｃを有するようにすることで、パネル体３０の下端部をなるべく設置面Ｓに近づけた状態で固定することができるので、パネル体３０と設置面Ｓとの隙間を狭くすることができる。
【００３２】
ここで、前壁部２３及び後壁部２４の左右の二個の側壁２５において、切欠部２５ａが突出部２５ｂ内に配置されることによって、側壁２５同士が嵌合される。
【００３３】
これにより、支柱固定装置２０に支柱１０を固定した後、支柱１０に対して、前から後に荷重がかかった場合、支柱１０の前側が相対的に持ち上げられ、又は上下方向に伸ばされる様に作用するため、支柱１０を貫通するボルト５１は前側が持ち上げられる方向に作用し、連動して前壁部２３が持ち上げられるように作用するが、起立壁２２はベース部２１に固定されているため、ボルト５１には剪断力が作用し、ボルト５１が変形するおそれがある。そこで、本形態の様に、前後の側壁２５同士を嵌合させることによって、前壁部２３の持ち上げを抑えて、ボルト５１の変形を抑えることができる。
【００３４】
図１１〜図１３は、支柱固定装置２０とボルト５１との関係を説明するものであって、図１１は図４のＢ−Ｂ線の拡大断面図、図１２は図４のＢ−Ｂ線における一部省略端面図、図１３は図１２のＣ矢視図において各貫通孔の位置関係を示す説明図である。なお図１２において、各貫通孔の境界は一点破線によって示す。
【００３５】
次に、各貫通孔の関係について更に詳しく説明する。なお、前壁部２３の貫通孔２３ａと後壁部２４の貫通孔２４ａは同じ関係にあるので、以降は、主に前壁部２３の貫通孔２３ａについて主に説明し、必要に応じて後壁部２４の貫通孔２４ａの説明をする。
【００３６】
起立壁２２の貫通孔２２ａ、円盤部２６の貫通孔２６ａ、前壁部２３の貫通孔２３ａの順で並んでおり、貫通孔２２ａは、貫通孔２６ａより小径であって、正面視において貫通孔２２ａ全体が貫通孔２６ａ内に位置するように配置されている。また、貫通孔２３ａは、貫通孔２６ａよりも小径であって、正面視において貫通孔２３ａ全体が貫通孔２６ａ内に配置されている。
【００３７】
更に貫通孔２２ａは、下縁部２２ｂが、貫通孔２３ａの下縁部２３ｄよりも低い位置にある。一方貫通孔２２ａの上縁部２２ｃは、貫通孔２３ａの上縁部２３ｅと同じ高さか、それよりも低い位置にある。本形態では、貫通孔２２ａ、２３ａはほぼ同径の円形状であって、貫通孔２３ａの中心は貫通孔２２ａの中心よりやや上方に位置している。なお、この関係は、貫通孔２２ａと貫通孔２４ａにおいても同様である。
【００３８】
貫通孔２２ａ、２６ａ、２３ａの内径は、それぞれボルト５１の外径よりも大きいので、ボルト５１の貫通は可能であるが、上述の構造によって、貫通方向に対する見かけ上、ボルト５１の貫通可能な上下方向の寸法Ｌが狭くなっている。
【００３９】
本形態では、寸法Ｌがボルト５１の外径以上なので、ボルト５１は、各貫通孔の貫通方向に沿って貫通することができるが、貫通孔２２ａ、２３ａの一方のみに比べると貫通しにくくなる。ここで、大径の貫通孔２６ａによって貫通孔２２ａ、２３ａが貫通方向に離間しているので、ボルト５１のねじ先端部側をやや持ち上げて僅かに斜めにすることによって、ボルト５１は、貫通孔２２ａ、２３ａを貫通しやすくなる。
【００４０】
また、貫通孔２２ａは、貫通方向の途中から支柱１０の下端部１１側に向けて徐々に拡径されたテーパー部２２ｄを有している。これにより、ボルト５１を貫通させにくい距離が短くなる。
【００４１】
更に、貫通孔２３ａは、貫通方向の途中から支柱１０の下端部１１側に向けて徐々に拡径されたテーパー部２３ｆを有している。これにより、ボルト５１を貫通させにくい距離が短くなる。加えて、ボルト５１のねじ先端部側をやや持ち上げて僅かに斜めにすることが容易となるので、貫通孔２３ａを通過させやすくなる。
【００４２】
なお、各部材の僅かな加工誤差や、各部材の表面処理や表面塗装により、寸法Ｌがボルトの外径より小さくなる可能性もあるが、上述の通り、ボルト５１を僅かに斜めにするとともに、貫通方向に圧入することによって、貫通孔２２ａ、２６ａ、２３ａを通過させることができる。
【００４３】
次に、ボルト５１のねじ先端部が貫通孔２６ａを通過し、支柱１０の下端部１１の貫通孔１１ａを通過し、ボルト５１のねじ先端側がやや持ち上がった斜め向きに配置されて反対側の貫通孔２４ａ付近に達した場合、ねじ先端部の一部が貫通孔２４ａにおいて貫通方向の途中から支柱１０の下端部１１側に向けて徐々に拡径されたテーパー部２４ｄに接する場合があるが、ボルト５１を貫通方向に圧入すれば、ねじ先端部はテーパー部２４ｄの傾斜面に沿って貫通孔２４ａの奥に誘導されて通過することができる。
【００４４】
ボルト５１が更に進んで、反対側の貫通孔２２ａ付近を通過する場合も、ねじ先端部は貫通孔２２ａのテーパー部２２ｄの傾斜面に誘導されて貫通孔２２ａを通過することができる。
【００４５】
ボルト５１は、前後の貫通孔２２ａ、２２ａ間を貫通した状態において、相対的に低い位置にある貫通孔２２ａの上部に偏って通過しており、相対的に高い位置ある貫通孔２３ａ，２４ａの下部に偏って通過している。
【００４６】
これにより、ボルト５１は、相対的に低い位置にある貫通孔２２ａの上部に偏って通過しているので、貫通孔２２により上方向の移動が抑えられる。また、前壁部２３及び後壁部２４の上方向の移動は、貫通孔２３ａ，２４ａの下部に偏って通過するボルト５１によって抑えられる。すなわち、ボルト５１にナット５２を螺着した後は、貫通孔２３ａ，２４ａを有する前壁部２３及び後壁部２４の上方向への移動が抑えられるので、前壁部２３及び後壁部２４の上下方向のがたつきを抑えることができる。
【００４７】
以上、本発明の支柱固定装置について、実施形態に基づいて説明したが、本発明は、この実施形態に限定されるものではない。本発明の要旨を逸脱しない範囲内で当業者が思いつく各種変形を施したものも本発明の範囲内に含まれる。
【産業上の利用可能性】
【００４８】
本発明は、立体駐車場や、既設のフェンスや柵等を取り除いてコンクリートやブロックの土台に再びフェンスを設置する場合に、パネル体が取付けられる支柱を固定する支柱固定装置として有用であり、特に傾斜箇所が多い立体駐車場や土台部等にフェンスと設置する場合において広く利用することができる。
【符号の説明】
【００４９】
１０    支柱
１１ａ  キャップ
１１  下端部
１１ａ、１１ｂ、１１ｃ  貫通孔
２０  支柱固定装置
２１  ベース部
２１ａ  アンカー孔
２２  起立壁
２２ａ  貫通孔
２２ｂ  下縁部
２２ｃ  上縁部
２２ｄ  テーパー部
２３  前壁部
２３ａ、２３ｂ  貫通孔
２３ｃ  切欠部
２３ｄ  下縁部
２３ｅ  上縁部
２３ｆ  テーパー部
２４  後壁部
２４ａ、２４ｂ  貫通孔
２４ｃ  切欠部
２４ｄ  テーパー部
２５  側壁
２５ａ  切欠部
２５ｂ  突出部
２６  円盤部
２６ａ  貫通孔
３０  パネル体
３１  縦材
３２  横材
４０  アンカーボルト
４１  スリーブ
４２  ワッシャ
４３  スプリングワッシャ
５１、５３  ボルト
５２、５４  ナット
６０  固定具
６１  フック部
６２  ねじ部
６３  ナット
Ｆ    フェンス
Ｋ    内部空間
Ｓ    設置面
【図１】
2019183383.tif 000003
【図２】
2019183383.tif 000004
【図３】
2019183383.tif 000005
【図４】
2019183383.tif 000006
【図５】
2019183383.tif 000007
【図６】
2019183383.tif 000008
【図７】
2019183383.tif 000009
【図８】
2019183383.tif 000010
【図９】
2019183383.tif 000011
【図１０】
2019183383.tif 000012
【図１１】
2019183383.tif 000013
【図１２】
2019183383.tif 000014
【図１３】
2019183383.tif 000015